(57)【要約】【課題】  最外層の１巻分の粘着テープを容易に剥離できる構成の粘着テープクリーナを提供する。【解決手段】  粘着テープ１の粘着面１１には、ロール体Ｂの軸線方向Ｘ両端付近に位置する部分に非接着面３，４が形成され、ロール体には、粘着テープを１枚ごとに切断するために、ロール体の最外層１からロール芯Ａに到達する切断部２が形成され、この切断部は、ロール体の軸線方向両端付近を除いた範囲に連続して設けられている。また、切断部は、非切断領域１２５を形成するとともに、軸線方向中央付近からロール体の両端付近に至る範囲にロール体の展開方向後方に傾斜しつつ形成された第一のスリット１０２と、この第一のスリットの非切断領域よりも粘着テープの展開方向の前側に所定間隔を有しつつ非切断領域より広い領域に形成された第二のスリット１０２とで構成することができる。【選択図】  図１
2007244481.tif 000002
【特許請求の範囲】
【請求項１】
ロール芯と、片面に粘着面を有する粘着テープを該粘着面を外側にして上記ロール芯に巻回してなる円筒状のロール体とからなる粘着テープクリーナにおいて、上記粘着テープの粘着面には、上記ロール体の軸線方向両端付近に位置する部分に非接着面が形成され、上記ロール体には、上記粘着テープを１枚ごとに切断するために、該ロール体の最外層からロール芯に到達する切断部が形成され、この切断部は、上記ロール体の軸線方向両端付近を除いた範囲に連続して設けられてなることを特徴とする粘着テープクリーナ。
【請求項２】
前記切断部は、前記ロール体の軸線方向中央を境にして両端付近に向かって、該ロール体の展開方向後方に傾斜しつつ形成された切断部である請求項１記載の粘着テープクリーナ。
【請求項３】
前記粘着テープは、前記ロール体の軸線方向の中央付近に非接着領域を有する粘着テープである請求項２記載の粘着テープクリーナ。
【請求項４】
ロール芯と、片面に粘着面を有する粘着テープを該粘着面を外側にして上記ロール芯に巻回してなるロール体とからなる粘着テープクリーナにおいて、上記ロール体には、上記粘着テープを１枚ごとに切断するために、該ロール体の最外層からロール芯に到達する切断部が形成され、この切断部は、上記ロール体の軸線方向中央付近に該軸線方向に所定間隔の非切断領域を形成するとともに、該軸線方向中央付近から該ロール体の両端付近に至る範囲に該ロール体の展開方向後方に傾斜しつつ形成された第一のスリットと、この第一のスリットの上記非切断領域よりも粘着テープの展開方向の前側に所定間隔を有しつつ該非切断領域より広い領域に形成された第二のスリットとで構成されてなることを特徴とする粘着テープクリーナ。
【請求項５】
前記第一のスリットは、前記ロール体の軸線方向中央から両端に向かう方向が、前記粘着テープの展開方向の前側から後側にしてなる第一のスリットである請求項４記載の粘着テープクリーナ。
【請求項６】
前記粘着テープの粘着面は、前記ロール体の軸線方向中央付近に非切断領域を有する粘着面である請求項４または５に記載の粘着テープクリーナ。
【発明の詳細な説明】
【技術分野】
【０００１】
本発明は、粘着テープの粘着面を外側に向けつつロール芯に巻き付けた粘着テープクリーナに関するものである。
【背景技術】
【０００２】
従来は、粘着テープを１巻きごとに切断することができるように、ロール芯の軸線方向に沿ったスリットを設ける構成があり、ロール芯の軸線方向に沿ったスリットを形成するとともに、少なくとも１個所に未切断部を残した構成のものがあった（特許文献１参照）。また、テープ面に指先で把持できる程度の連続部を残してテープ面の全幅にわたりかつ巻芯の表面に至る切り込みを刻設した構成のもの、および、当該切り込みがテープの展開方向に後退する斜めの直線もしくは曲線があった（特許文献２参照）。
【特許文献１】特開２００１−３８３号公報
【特許文献２】特開平７−２３６６０８号公報
【発明の開示】
【発明が解決しようとする課題】
【０００３】
上記の粘着テープクリーナのうち、前者にあっては、切断部がロールの軸線方向に沿って形成されることから、粘着テープの両側または片側に非接着面を設けた場合、当該非接着面を指で把持して１巻分を剥がすことがあるが、粘着テープの幅方向端部から当該粘着テープを剥離させる場合には、端縁は粘着テープが巻回されるロール体の展開方向すなわちロール体の周方向に剥離されることとなるが、切断部端縁は軸線方向に剥離しなければならず、当該非接着面部分のみを指で把持した状態では、切断部端縁に沿ってきれいに剥離することができなかった。そして、特許文献１において開示されるように、所定の開口幅を有するスリットによって切断部が構成されることにより、斜め裂けなどを生ずることはないとしているが、スリット部分を跨いだ状態でゴミ（頭髪等）が粘着テープに接着する場合には、切断部端縁がスリットに沿って剥離されるとは限らず、粘着テープの幅方向端部から当該粘着テープを剥離させる際には、やはり斜め裂けなどの生ずる可能性があった。
【０００４】
他方、後者の粘着テープクリーナにあっては、指先で把持できる程度の連続部を残して切断部（切り込み）を構成するものであるが、当該連続部が指先で把持できる程度であるため、比較的幅広く連続部が構成されるため、１巻分の粘着テープを剥離するとき、破断させた当該連続部の状態が１巻ごとに異なることがあった。そして、上記粘着テープの切り込みが展開方向に後退する斜め方向に構成される場合には、当該粘着テープの幅方向両端縁に切り込みが存在することとなり、当該端縁の切り込みから粘着テープを剥離するときには、切り込み部の端縁が展開方向に対して逆向きとなるため、うまく剥離させることができない場合があった。
【０００５】
本発明は、上記諸点にかんがみてなされたものであって、その目的とするところは、最外層の１巻分の粘着テープを容易に剥離できる構成の粘着テープクリーナを提供することである。
【課題を解決するための手段】
【０００６】
そこで、本発明は、ロール芯と、片面に粘着面を有する粘着テープを該粘着面を外側にして上記ロール芯に巻回してなる円筒状のロール体とからなる粘着テープクリーナにおいて、上記粘着テープの粘着面には、上記ロール体の軸線方向両端付近に位置する部分に非接着面が形成され、上記ロール体には、上記粘着テープを１枚ごとに切断するために、該ロール体の最外層からロール芯に到達する切断部が形成され、この切断部は、上記ロール体の軸線方向両端付近を除いた範囲に連続して設けられてなることを特徴とする粘着テープクリーナを要旨とする。
【０００７】
上記構成により、ロール体を構成する粘着テープは、ロール体の軸線方向両端付近においてのみ連続する状態となるから、最外層の粘着テープを剥離する際、当該最外層の粘着テープは１巻分展開された後、粘着テープの両側を除いて切断された状態となり、剥離すべき粘着テープを引っ張ることによって両側の連続部分を破断させることができる。このとき、連続部分（非切断領域）が粘着テープの非接着面に形成されることにより、当該連続部分（非切断領域）を破断させる際には、新しい粘着テープと剥離すべき粘着テープとの間に粘着力が作用しないこととなり、容易に判断させることができる。しかも、新しい粘着テープは下層の粘着テープの粘着力が作用するが、剥離すべき粘着テープは、当該粘着テープの展開によって切断部から切り離されることとなり、連続部分（非切断領域）において破断させる際、すなわち、剥離すべき粘着テープを引っ張る際に、新しい粘着テープが不必要に剥離されることを抑制することとなる。
【０００８】
上記発明においては、前記切断部は、前記ロール体の軸線方向中央を境にして両端付近に向かって、該ロール体の展開方向後方に傾斜しつつ形成された切断部であることが好ましい。この構成によれば、ロール体の軸線方向両端付近における連続部分（非切断領域）は、ロール体の展開方向最後尾に存在することとなるから、当該ロール体から粘着テープ１巻分を剥離する場合、ロール体の軸線方向中央部分を先頭に剥離を開始することにより、連続部分（非切断領域）まで展開された粘着テープは、当該連続部分（非切断領域）を除いて、ロール体から切断された状態となる。これにより、上記連続部分（非切断領域）を破断させる場合、新しい粘着テープは下層の粘着テープによって粘着され、剥離すべき粘着テープの剥離の際に新しい粘着テープが不必要に剥離されることを抑制することができる。
【０００９】
さらに、上記発明において、前記粘着テープは、前記ロール体の軸線方向の中央付近に非接着領域を有する粘着テープであることが好ましい。このような構成であれば、当該粘着テープクリーナを使用する場合、最外層の粘着テープの粘着面のうち、ロール体の軸線方向中央付近にゴミ等が付着せず、剥離の際に展開の先頭となるべき当該中央付近を容易に剥離することができる。すなわち、最外層の粘着テープは、切断部を跨いで毛髪等を粘着させることがあり、剥離を開始する部分を非粘着領域とすることにより、毛髪等の粘着を防止して剥離を容易にすることができるのである。
【００１０】
また、本発明は、ロール芯と、片面に粘着面を有する粘着テープを該粘着面を外側にして上記ロール芯に巻回してなるロール体とからなる粘着テープクリーナにおいて、上記ロール体には、上記粘着テープを１枚ごとに切断するために、該ロール体の最外層からロール芯に到達する切断部が形成され、この切断部は、上記ロール体の軸線方向中央付近に該軸線方向に所定間隔の非切断領域を形成するとともに、該軸線方向中央付近から該ロール体の両端付近に至る範囲に該ロール体の展開方向後方に傾斜しつつ形成された第一のスリットと、この第一のスリットの上記非切断領域よりも粘着テープの展開方向の前側に所定間隔を有しつつ該非切断領域より広い領域に形成された第二のスリットとで構成されてなることを特徴とする粘着テープクリーナをも要旨としている。
【００１１】
上記構成によれば、粘着テープの１巻ごとの切断の大半部分は第一のスリットによることとなり、第二のスリットを先頭に最外層の粘着テープを展開させることができる。このとき、第一のスリットと第二のスリットとは連続せず、中間に非切断領域が存在することとなるが、第二のスリットを先頭に剥離を開始すれば、非切断領域が破断され、第一および第二のスリットが連続的な切断部を構成することとなる。これによって、最終的には、ロール体の軸線方向両側のみが連続することとなるから、上述と同様にして、新しい粘着テープが下層の粘着テープによって貼着されることとなり、下層の粘着テープが不必要に剥離されることを抑制し得ることとなる。
【００１２】
上記発明において、前記第一のスリットは、前記ロール体の軸線方向中央から両端に向かう方向が、前記粘着テープの展開方向の前側から後側にしてなる第一のスリットである構成とすることが好ましい。このような構成であれば、第二のスリットを先頭として粘着テープを展開するに際し、切断部分は、当該第二のスリットが形成される中央付近から、展開の程度に応じて徐々に両端に拡大することとなり、最外層の粘着テープのほぼ全体が剥離された状態において、新しい粘着テープに連続する部分が当該両端付近の非切断領域のみとなるから、新しい粘着テープの粘着状態が強固なものとなる。また、上記発明においては、前記粘着テープの粘着面は、前記ロール体の軸線方向中央付近に非切断領域を有する粘着面である構成とすることができる。この場合、上述のとおり、ロール体の軸線方向中央付近にゴミ等が付着せず、剥離の際に展開の先頭となるべき当該中央付近を容易に剥離することができる。
【発明の効果】
【００１３】
切断部が連続的に構成される本発明によれば、最外層の粘着テープをその切断部端縁から剥離させることにより、１巻分の粘着テープが展開した状態においてロール体の軸線方向両端（粘着テープの幅方向両端）のみが非切断領域として下層の粘着テープに連続することとなるから、この両端の非切断領域を破断させることにより、剥離させるべき１巻分の粘着テープを容易に離脱させることができるのである。
【００１４】
他方、第一および第二のスリットにより切断部が構成される本発明によれば、最外層の粘着テープを剥離させる場合、第二のスリットにより形成される切断部端縁を先頭に粘着テープを展開させることとなり、１巻分が展開されると、剥離すべき粘着テープと下層の粘着テープとの間は、最初に第二のスリットによって切断され、さらに、引き続き粘着テープの展開を継続することにより、第一および第二のスリットの中間部分を破断すれば、ロール体の軸線方向両端（粘着テープの幅方向両端）を除き両粘着テープの大部分を切断させることとなる。ここで、第一および第二のスリットの中間部分を破断させるためには、破断に必要な剪断応力が必要となるが、第一のスリットの中間の非切断領域よりも広域に第二のスリットが存在するから、第二のスリットの両端から展開方向に破断が開始されれば、そのまま第二のスリットまで破断させることができる。従って、使用済みの粘着テープの剥離が容易となる。
【発明を実施するための最良の形態】
【００１５】
以下、本発明の実施の形態を図面に基づいて説明する。図１は、本発明の第一の実施形態を示す斜視図である。この図に示すように、粘着テープクリーナＣは、ロール芯Ａと、このロール芯Ａに巻回されたロール体Ｂとで構成されている。ロール体Ｂは、粘着テープ１の粘着面（片面）１１を外側にして巻き付けられており、使用時において、最外層を１巻分だけ剥離して、下層の新たな粘着面を出現させるものである。
【００１６】
ここで、本実施形態は、粘着テープ１を１巻ごとに分割できるように、切断部２が形成されている。この切断部２は、ロール体Ｂの軸線方向Ｘの中央付近から両端１２，１３に向かって斜状に設けられており、しかも、切断部２は当該中央付近を境にして片方先端１２に向かうスリット２１と、他方先端１３に向かうスリット２２とを連続して構成され、両スリット２１，２２が軸線方向Ｘに対称に形成されている。すなわち、粘着テープ１の端縁１ａは、粘着テープ１の展開方向Ｙに対して中央部分を先頭にして、両端１２，１３に向かって当該展開方向Ｙの後方となるように斜状に形成されるようになっている。
【００１７】
また、ロール体Ｂの両端１２，１３の近傍には切断部２（スリット２１，２２）が設けられておらず、当該部分が非切断領域２３，２４として構成されている。そして、粘着テープ１の接着面１１のうち、ロール体Ｂの軸線方向Ｘの両端付近が非接着面３，４として構成されており、上記切断部２の非切断領域２３，２４が当該非接着面３，４に形成されている。
【００１８】
上記構成により、図２に示すように、最外層の粘着テープ１Ａは、展開方向Ｙの先端側における端縁１ａは軸線方向Ｘの両側において既に破断されているが、当該最外層の粘着テープ１Ａを剥離しつつ展開することにより、下層の粘着テープ１Ｂとの間において、非切断領域２３，２４によって連続している。従って、既に使用した最外層の粘着テープ１Ａを１巻分だけ剥離する場合、当該非切断領域２３，２４を破断させることにより、最外層の粘着テープ１Ａを離脱させることができるのである。
【００１９】
この剥離の際、最外層の粘着テープ１Ａと下層の粘着テープ１Ｂとは、切断部２によって両端の非切断領域２３，２４を除く範囲が既に切断されているため、最外層の粘着テープ１Ａを先端Ｔａから徐々に展開させるとき、当該粘着テープ１Ａの後方端縁１ｂは、切断部２の範囲で分離されることとなり、非切断領域２３，２４を残した状態でほぼ全体を下層の粘着テープ１Ｂから剥離させることができるのである。しかも、下層の粘着テープ１Ｂの前方端縁１ｃの先端Ｔｂを頂点とし、切断部２を二辺とする三角形部分は、次順位の粘着テープの粘着剤によって貼着されていることから、最外層の粘着テープ１Ａを展開する場合においても、これに連なってロール体Ｂから剥離されることはないのである。
【００２０】
そして、最後に連続状態で残存する非切断領域２３，２４は、展開された最外層の粘着テープ１Ａを引っ張ることにより、容易に破断させることが可能となるのである。すなわち、下層の粘着テープ１Ｂの前方端縁の先端Ｔｂを頂点とする三角形部分は次順位の粘着テープに貼着される一方、非切断領域２３，２４は、非接着面３，４に形成されており、最外層の粘着テープ１Ａは、下層の粘着テープ１Ｂとの間に粘着力が作用していない状態であり、この非切断領域２３，２４を破断させるために引張力（剪断応力）を作用させるとしても、この引張力よりも三角形部分の粘着力が勝ることから、下層の粘着テープ１Ｂが剥離されることなく最外層の粘着テープ１Ａを切り離すことができるのである。
【００２１】
次に、本発明の第二の実施形態について説明する。本実施形態は、図３に示すように、第一のスリット（本実施形態では第一の切断部という）１０２と第二のスリット（本実施形態では第二の切断部という）２０２によって切断部全体が構成され、両切断部１０２，２０２は、ロール体Ｂの軸線方向中央付近において不連続に設けられたものである。第一の切断部１０２は、ロール体Ｂの軸線方向Ｘの中央付近から両端付近の範囲に斜状に設けられた二つのスリット１２１，１２２によって構成され、両スリット１２１，１２２の中間には、所定の間隔を有する非切断領域（中央部非切断領域）１２５が形成されるとともに、両端付近においても非切断領域（両側非切断領域）１２３，１２４が形成されている。また、粘着テープ１０１の接着面には、両端縁付近に非接着面１０３，１０４が構成されており、上記両側非切断領域１２３，１２４は、この非接着面１０３，１０４に設けられている。他方、第二の切断部２０２も二つのスリット２２１，２２２によって構成されており、両スリット２２１，２２２は、軸線方向Ｘの中央において連続する一体の切断部２０２として形成されている。そして、この第二の切断部２０２は第一の切断部１０２から適宜間隔を有して形成されており、この第二の切断部２０２は、第一の切断部１０２に設けられた中央部非切断領域１２５から、第一の切断部１０２の展開方向Ｙの前方に設けられ、それぞれ近接するスリットの間（スリット１２１とスリット２２１の間およびスリット１２２とスリット２２２の間）は、非切断領域（スリット間非切断領域）２２３，２２４を形成している。
【００２２】
このスリット間非切断領域２２３，２２４は、粘着テープ１０１を１巻分剥離する際に破断させることにより、第一のスリット１０２と第二のスリット２０２とが一体となって、前述の第一の実施形態と同様に両側非切断領域１２３，１２４を除く範囲を下層の粘着テープから切り離すことができるのである。また、ロール体Ｂの軸線方向Ｘの中央付近において上記非切断領域１２５，２２３，２２４が構成されることにより、無数の粘着テープが巻回されて構成されるロール体Ｂは、両側非切断領域１２３，１２４とともに、シート全体が連続して巻回される状態となる。これにより、ロール体Ｂが一体的なロール状を形成することとなり、部分的に（切断部において）ロール体Ｂの表面が浮き上がるようなことを防止できるのである。
【００２３】
本実施形態を使用する場合、図４に示すように、最外層の粘着テープ１０１Ａの前方端縁１０１ａは、第一および第二の両切断部１０２，２０２が連続した状態となり、両側非切断領域１２３，１２４が破断されて、連続した１本の端縁１０１ａが形成されている（図４（ａ）参照）。この状態から、端縁１０１ａの先端Ｔａを先頭にしつつ最外層の粘着テープ１０１Ａを展開させることにより、ほぼ１巻分に相当する範囲を剥離するとき、最外層の粘着テープ１０１Ａの剥離位置が第二の切断部２０２に到達する（図４（ｂ）参照）。ここで、当該第二の切断部２０２は、既に切断されていることから、下層の粘着テープ１０１Ｂとの関係において切り離されている。しかしながら、スリット間非切断領域２２３，２２４においては、最外層の粘着テープ１０１Ａと下層の粘着テープ１０１Ｂとが連続しているため、これを破断させなければ第二の切断部２０２は第一の切断部１０２と一体化しないこととなる。本実施形態では、第二の切断部２０２を構成する両スリット２２１，２２２の外側端部の位置を、中央部非切断領域１２５の幅よりも広くなるように設けられていることから、上記スリット２２１，２２２の外側端部から周方向に沿って破断すれば、その破断部が第一の切断部１０２のスリット１２１，１２２に到達することとなるのである。そして、最外層１０１Ａを普通に展開させれば、第二の切断部２０２のスリット２１１，２２２の両端は、最外層の粘着テープ１０１Ａの剥離が継続することにより、周方向に破断を開始することとなるのである（図３参照）。
【００２４】
なお、上記破断の際には、スリット間非切断領域２２３，２２４の位置におけるロール体Ｂの軸線方向Ｘに、最外層および下層の両粘着テープ１０１Ａ，１０１Ｂが連続しているため、最外層の粘着テープ１０１Ａを剥離することにより、下層の粘着テープ１０１Ｂをも同時に剥離させるように作用することとなるが、当該非切断領域２２３，２２４の間隔は、第二の切断部２０２の全体の長さに比較して僅少であるため、第二の切断部２０２により切断された三角形部分が次順位の粘着テープに貼着されることにより、上記破断の際に下層の粘着テープ１０１Ｂが剥離されることを抑制することができるのである。
【００２５】
上記のようにして、第二の切断部２０２が第一の切断部１０２と一体化し、全体として単一の切断部を形成することにより、最外層の粘着テープ１０１Ａは、図５に示すように、両側非切断領域１２３，１２４を除く範囲について、下層の粘着テープ１０１Ｂから切り離した状態となる。この状態は、第一の実施形態と同様の構成であるから、最後に、最外層の粘着テープ１０１Ａを引っ張ることにより、この非切断領域１２３，１２４を破断させることができ、最外層の粘着テープ１０１Ａをロール体Ｂから切り離すことができるのである。
【００２６】
本発明の実施形態は上記のとおりであるが、本発明の趣旨を逸脱しない範囲において種々の態様をとることができるものである。そこで、他の実施形態について説明すれば、上記各実施形態における粘着テープクリーナにおいて、ロール体Ｂの軸線方向Ｘの中央付近に非接着面を構成する態様、または、切断部を構成するスリットを軸線方向に一致させる態様が考えられる。以下にこれらについて詳述する。
【００２７】
図６および図７は、他の実施形態を示している。図６（ａ）に示す形態は、第一の実施形態の粘着テープクリーナにおいて、粘着テープの粘着面のうち、ロール体Ｂの軸線方向Ｘの中央付近に非接着面（中央非接着面）５を構成したものである。この非接着面５は、切断部２の先端Ｔａが位置する部分を含む範囲を周方向に連続して設けられ、帯状に形成されるものである。このような構成によれば、最外層の粘着テープ１を剥離する際に、当該最外層の粘着テープ１を展開する先端Ｔａが、下層の粘着テープに貼着されておらず、最外層の一枚のみを剥がすことが容易となるのである。同様に、図６（ｂ）に示す形態は、第二の実施形態における粘着テープクリーナおいて、第二の切断部２０２の先端Ｔａが位置する部分を含む範囲に非接着面１０５を形成したものである。この場合においても、最外層の粘着テープ１０１を一枚のみ剥がすことが容易となるのである。
【００２８】
ここで、上記のように、ロール体Ｂの軸線方向Ｘの中央付近に非接着面５，１０５が設けられることにより、本実施形態を使用しても当該非接着面５，１０５には、ゴミ等が付着することがないため、当該先端Ｔａを指で摘み上げる際でも指がゴミ等で汚れる心配がない。しかも、粘着テープ１が毛髪を付着させる状況下においても、当該非接着面５，１０５には毛髪が付着しないことから、当該毛髪等によって最外層の粘着テープ１，１０１の剥離を阻害することを防止できることとなる。
【００２９】
次に、図７に示す形態は、第一の実施形態における切断部２について、ロール体Ｂの軸線方向Ｘに沿った方向に形成したものである。そのために、スリット２１，２２は、同一直線上に形成されるとともに、両者の中間に弧状に形成した先端Ｔａを形成し、全体を一体的な切断部２としている。このような形態においては、最外層の粘着テープ１を１巻分のみ剥離する際、当該切断部２まで剥離させた時点で、切断部２の全体が軸線方向Ｘに沿って切り離された状態となり、残余の両側非切断領域２３，２４のみが下層の粘着テープに連続することとなる。この点は第一の実施形態と同様である。従って、先端Ｔａから最外層の粘着テープ１を展開させることで、当該粘着テープ１は、両側非切断領域２３，２４を除いて切り離されることとなる。そして、両側非切断領域２３，２４を破断することにより、最外層の粘着テープ１の全体を切り離すことが可能となり、その際の破断は、最外層の粘着テープ１を引っ張ることによっては、きれいに破断させることこそできない場合があるものの、僅かな範囲においてのみ非切断領域２３，２４が存在するため、破断による切り取りは容易となるものである。
【図面の簡単な説明】
【００３０】
【図１】本発明の第一の実施形態を示す斜視図である。
【図２】第一の実施形態の使用状態を示す説明図である。
【図３】本発明の第二の実施形態を示す斜視図である。
【図４】第二の実施形態の使用状態を示す説明図である。
【図５】第二の実施形態の使用状態を示す説明図である。
【図６】本発明の他の実施形態を示す斜視図である。
【図７】本発明の他の実施形態を示す斜視図である。
【符号の説明】
【００３１】
１，１０１  粘着テープ
１Ａ，１０１Ａ  最外層の粘着テープ
１Ｂ，１０１Ｂ  下層の粘着テープ
２  切断部
３，４  両側非接着面
５  中央非接着面
１１  粘着面
１２，１３  ロール体両端
２１，２２，１２１，１２２，２２１，２２２  スリット
２３，２４  両側非切断領域
１０２  第一の切断部
２０２  第二の切断部
１２５  中央部非切断領域
２２３，２２４  スリット間非切断領域
Ａ  ロール芯
Ｂ  ロール体
Ｘ  ロール体の軸線方向
Ｙ  ロール体の展開方向
【図１】
2007244481.tif 000003
【図２】
2007244481.tif 000004
【図３】
2007244481.tif 000005
【図４】
2007244481.tif 000006
【図５】
2007244481.tif 000007
【図６】
2007244481.tif 000008
【図７】
2007244481.tif 000009